(57)【要約】【課題】読取載置台の原稿読取面に対して開閉可能な原稿搬送装置において、原稿搬送装置を開いた状態でアクセスして清掃する搬送ローラを駆動可能とすることができる手段を提供することを目的とする。【解決手段】原稿読取面１１，１２に対して開閉可能な原稿搬送装置１であって、搬送路３に沿って原稿を搬送する搬送手段６ａ〜６ｄと、当該原稿搬送装置１の開閉状態を検出する検出手段１０４と、搬送手段６ａ〜６ｄを駆動する駆動源４００と、入力手段から清掃モードが入力されると、駆動源４００に電力を供給して搬送手段６ａ〜６ｄを駆動可能とするとともに、清掃モードが入力されていないと、検出手段１０４から開状態が入力されている場合には電力供給を遮断して搬送手段６ａ〜６ｄを駆動不可能とし、検出手段１０４から閉状態が入力されている場合には搬送手段６ａ〜６ｄを駆動可能とする制御手段５００と、を備える原稿搬送装置１。【選択図】図１５
2005162431.tif 000002
【特許請求の範囲】
【請求項１】
画像読取手段を備えた読取載置台の原稿読取面に対して開閉可能な原稿搬送装置であって、
供給部から排出部へ連通された搬送路に沿って原稿を搬送する搬送手段と、
当該原稿搬送装置の開閉状態を検出する検出手段と、
前記搬送手段を駆動する駆動源と、
入力手段から清掃モードが入力されると、駆動源に電源から電力を供給して前記搬送手段を駆動可能とするとともに、清掃モードが入力されていないと、前記検出手段から開状態が入力されている場合には前記駆動源に前記電源からの電力供給を遮断して前記搬送手段を駆動不可能とし、前記検出手段から閉状態が入力されている場合には前記駆動源に前記電源から電力を供給して前記搬送手段を駆動可能とする制御手段と、
を備えることを特徴とする原稿搬送装置。
【請求項２】
前記搬送手段が、前記搬送路に配設される搬送ローラを備え、
当該原稿搬送装置が、前記搬送路の前記原稿読取面と相対する位置に形成された原稿読取用開口と、該原稿読取用開口を通じて前記搬送ローラを露出するアクセス部が凹設されたガイド部材と、前記アクセス部を覆い前記原稿読取用開口を通じて前記ガイド部材に着脱可能に設けられたアクセス部カバー部材と、を備えることを特徴とする請求項１に記載の原稿搬送装置。
【請求項３】
請求項１又は２に記載の原稿搬送装置を、前記原稿読取面に載置され、該原稿読取面に沿って前記画像読取手段が移動しながら画像を読取る原稿を押圧し、前記読取載置台に軸支される原稿押圧板に備えることを特徴とする画像読取装置。
【発明の詳細な説明】
【技術分野】
【０００１】
本発明は、原稿を搬送する搬送手段を備え、読取載置台の原稿読取面に対して開閉可能な原稿搬送装置およびこれを備える画像読取装置に関する。
【背景技術】
【０００２】
スキャナ、ファクシミリ、複写機等においては、装置本体にフラット・ベッド・スキャナ（以下、「ＦＢＳ」という。）を備えるとともに、装置本体に対して開閉自在な原稿押圧板に複数枚の原稿を順次給紙するオート・ドキュメント・フィーダー（以下、「ＡＤＦ」という。）等の自動原稿搬送機構を装備したものがある。図１９はＡＤＦを装備した従来のコピー・ファクシミリ複合機９００であるが、該コピー・ファクシミリ複合機９００は、図に示すように、読取るべき原稿を載置するプラテンガラス９０１が配設された読取載置台９０２と、該原稿をプラテンガラス９０１上に押圧して固定する原稿押圧板９０３とを具備してなり、図には示していないが、コピー・ファクシミリ複合機９００の本体には、記録用紙に画像を記録する画像記録部や画像を電送するための送信部、読取った画像を記録するための記録用紙を供給する給紙カセット等が備えられている。
【０００３】
前記コピー・ファクシミリ複合機９００をＦＢＳとして用いて原稿を読取るときには、原稿押圧板９０３を開いて読取載置台９０２のプラテンガラス９０１上に文書等の原稿を載置して原稿押圧板９０３を閉じ、該原稿をスキャニングして画像を読取る。一方、原稿押圧板９０３に装備されたＡＤＦにて原稿を読取るときには、ＡＤＦが原稿トレイ９０４上に載置された複数枚のシート状の原稿を１枚ずつ連続的且つ自動的に搬送路９０５に沿って搬送し、読取位置Ｐ１において搬送されている原稿の画像を読取り、排出トレイ９０６に画像を読終った原稿を排出する。
【０００４】
前記搬送路９０５は、内側ガイド面９０５ａと外側ガイド面９０５ｂとが対向して横向きＵ字状に形成されており、該内側ガイド面９０５ａはガイド部材９０６により構成され、該外側ガイド面９０５ｂは原稿押圧板９０２の本体フレーム９０７及び上カバー９０８により構成されている。該搬送路９０５には、原稿を搬送するための搬送ローラ９０９ａ，９０９ｂ及び従動ローラ９１０が、それぞれニップした状態で配設されている。モータ等の駆動源から駆動伝達されて回転する搬送ローラ９０９ａ，９０９ｂは前記ガイド部材９０６に夫々軸支されて内側ガイド面９０５ａから一部を突出しており、従動ローラ９１０は、前記本体フレーム９０７及び上カバー９０８に回転自在且つ搬送ローラ９０９ａ，９０９ｂ方向へ付勢されて軸支されることにより外側ガイド面９０５ｂから突出している。各搬送ローラ９０９ａ，９０９ｂを軸支するガイド部材９０６は、前記本体フレーム９０７に固定されており、これにより搬送ローラ９０９ａ，９０９ｂ及び従動ローラ９１０がニップ状態で圧接され、搬送路９０５において原稿をニップして搬送するようになっている。
【０００５】
ところで、ＡＤＦにおいては原稿の紙詰り（ジャム）が生ずることがあり、ジャム解消のために前記搬送ローラ９０９ａ，９０９ｂ及び従動ローラ９１０のニップを開放する必要がある。ガイド部材９０６の上側に配置された搬送ローラ９０９ａと従動ローラ９１０とのニップは、図に示すように、上カバー９０８を開くことにより開放される（例えば特許文献１及び特許文献２参照）。一方、ガイド部材９０６の下側であって読取位置Ｐ１の直上流及び直下流に配置された搬送ローラ９０９ｂと従動ローラ９１０とのニップは、ガイド部材９０６が固定されているために開放することが不可能である。したがって、上カバー９０８が開いた状態であることが図示しない上カバー開閉センサによって検出されると、搬送ローラ９０９ｂの駆動伝達を電磁クラッチにより切断して搬送ローラ９０９ｂを自由回転状態とし、搬送ローラ９０９ｂの上流側又は下流側から原稿を引き抜くことによりジャムを解消できるようになっている。
【０００６】
一方、読取載置台９０２または原稿押圧板９０３の何れかに接触センサなどの図示しない原稿押圧板開閉センサが配設されており、原稿押圧板９０３が読取載置台９０２に対して完全に閉じた状態であるか否かを検出している。原稿押圧板９０３は完全に閉じた状態ではないことが原稿押圧板開閉センサによって検出されると、コピー・ファクシミリ複合機９００をＦＢＳとして用いて原稿を読取っているとみなし、ＡＤＦを機能させる必要がないので、搬送ローラ９０９ａ，９０９ｂを駆動する駆動モータに対する電力供給を遮断し非通電状態としている。
【０００７】
また、ＡＤＦにより多数の原稿を搬送するに伴い、原稿の未定着トナーや朱肉、筆記具のかす、紙粉などの異物が、前記搬送ローラ９０９ａ，９０９ｂ及び従動ローラ９１０の搬送面に付着していく。読取位置Ｐ１の上流側の搬送ローラ９０９ａ，９０９ｂ及び従動ローラ９１０に付着した異物は、後続の原稿により読取位置Ｐ１まで運ばれてプラテンガラス９０１に付着し、その結果、読取り画像に黒すじ等が現われるという問題が生じる。特に、プラテンガラス９０１と同じ側である搬送路９０５の湾曲外側で読取位置Ｐ１の直下流に配設される従動ローラ９１０に付着する異物が、読取位置Ｐ１における読取り画像に及ぼす影響は大きい。また、読取位置Ｐ１の下流側の搬送ローラ９０９ｂ及び従動ローラ９１０に異物が付着すると、搬送ローラ９０９ｂ及び従動ローラ９１０によって搬送される原稿に滑りが発生して搬送速度に影響を与え、読取り画像に歪みが起こるという問題が生じる。更に、読取位置Ｐ１の下流側に、原稿の裏面の画像読取りを行うＣＩＳ読取りユニット９１１が設けられている場合には、読取位置Ｐ１の下流側の搬送ローラ９０９ｂ及び従動ローラ９１０に付着した異物は、後続の原稿により運ばれてＣＩＳ読取りユニット９１１やプラテンローラ９１２に付着して、裏面の読取り画像に黒すじ等が現われるという問題が生じる。特に、ＣＩＳ読取りユニット９１１と同じ側である搬送路９０５の湾曲内側の直下流に配設される搬送ローラ９０９ｂに付着する異物が、ＣＩＳ読取りユニット９１１における裏面の読取り画像に及ぼす影響は大きい。
【特許文献１】特開平１１−１０６０８６号公報
【特許文献２】特開平７−３２３６２６号公報
【発明の開示】
【発明が解決しようとする課題】
【０００８】
前述した問題を防止あるいは解消するためには、洗浄液を染み込ませた布などによって搬送ローラ９０９ａ，９０９ｂ及び従動ローラ９１０の搬送面を清掃する必要がある。ガイド部材９０６の上側に配置された搬送ローラ９０９ａ及び従動ローラ９１０は、原稿押圧板９０３を読取載置台９０２に対して閉じた状態で、上カバー９０８を開けることにより搬送ローラ９０９ａ及び従動ローラ９１０が露出されるとともにニップが解除されるので、容易に搬送面の一部を露出させることができる。さらに、搬送ローラ９０９ａは、原稿押圧板９０３を読取載置台９０２に対して完全に閉じた状態で搬送面の一部を露出させることができるので、搬送ローラ９０９ａ，９０９ｂを駆動する駆動モータに対する電力供給され通電状態であり、上カバー９０８が開いた状態であることが上カバー開閉センサによって検出されると、電磁クラッチにより搬送ローラ９０９ｂと駆動モータとの駆動伝達は切断されるので、駆動伝達される搬送ローラ９０９ａを清掃に適した低速で回転させることにより、容易に搬送ローラ９０９ａの搬送面全てを清掃することができる。
【０００９】
しかしながら、ガイド部材９０６の下側であって読取位置Ｐ１の直上流及び直下流に配置された搬送ローラ９０９ｂと従動ローラ９１０とのニップは、前述したように、ガイド部材９０６が固定されているために開放することが不可能である。ただし、本体フレーム９０７側に配置された読取位置Ｐ１の直下流の従動ローラ９１０は、原稿押圧板９０３を読取載置台９０２に対して開いた状態で、本体フレーム９０７の下側の底部から一部が露出するので、この露出した搬送面を手で回転させながら清掃することができる。しかしながら、ガイド部材９０６に軸支された搬送ローラ９０９ｂは、原稿押圧板９０３の上側からも下側からもアクセスすることが困難であり、搬送ローラ９０９ｂを清掃するためには、ドライバ等の工具を用いて本体フレーム９０７からガイド部材９０６を取り外す必要があり、非常に面倒な作業であった。さらに、下側から搬送ローラ９０９ｂにアクセスする場合には、原稿押圧板９０３を読取載置台９０２に対して開いた状態にする必要があり、開閉センサがこの開いた状態を検出し、ＡＤＦを機能させる必要がないとみなし、搬送ローラ９０９ｂを駆動する駆動モータに対する電力供給が遮断され非通電状態となる。これにより、搬送ローラ９０９ｂが駆動不可能となり、回転させることができなかった。
【００１０】
本発明は、上記した事情や問題に鑑みてなされたものであり、読取載置台の原稿読取面に対して開閉可能な原稿搬送装置において、原稿搬送装置を開いた状態でアクセスして清掃する搬送ローラを駆動可能とすることができる手段を提供することを目的とする。
【課題を解決するための手段】
【００１１】
当該目的を達成するために、請求項１に記載の原稿搬送装置は、画像読取手段を備えた読取載置台の原稿読取面に対して開閉可能な原稿搬送装置であって、供給部から排出部へ連通された搬送路に沿って原稿を搬送する搬送手段と、当該原稿搬送装置の開閉状態を検出する検出手段と、前記搬送手段を駆動する駆動源と、入力手段から清掃モードが入力されると、駆動源に電源から電力を供給して前記搬送手段を駆動可能とするとともに、清掃モードが入力されていないと、前記検出手段から開状態が入力されている場合には前記駆動源に前記電源からの電力供給を遮断して前記搬送手段を駆動不可能とし、前記検出手段から閉状態が入力されている場合には前記駆動源に前記電源から電力を供給して前記搬送手段を駆動可能とする制御手段と、を備えることを特徴とする。
【００１２】
また、請求項２に記載の原稿搬送装置は、前記搬送手段が、前記搬送路に配設される搬送ローラを備え、当該原稿搬送装置が、前記搬送路の前記原稿読取面と相対する位置に形成された原稿読取用開口と、該原稿読取用開口を通じて前記搬送ローラを露出するアクセス部が凹設されたガイド部材と、前記アクセス部を覆い前記原稿読取用開口を通じて前記ガイド部材に着脱可能に設けられたアクセス部カバー部材と、を備えることを特徴とする。
【００１３】
また、請求項３に記載の画像読取装置は、請求項１又は２に記載の原稿搬送装置を、前記原稿読取面に載置され、該原稿読取面に沿って前記画像読取手段が移動しながら画像を読取る原稿を押圧し、前記読取載置台に軸支される原稿押圧板に備えることを特徴とする。
【発明の効果】
【００１４】
請求項１に記載の原稿搬送装置によれば、入力手段から清掃モードが入力されると、検出手段が原稿搬送装置の開状態を検出する場合であっても、制御手段が搬送手段を駆動可能とするので、原稿搬送装置を開いた状態で、搬送手段の清掃など搬送手段を駆動する必要がある場合に限り、清掃モードを入力することによって搬送手段を駆動することができる。これにより、原稿搬送装置を開いた状態で、搬送手段にアクセスすることが可能な場合には、搬送手段を駆動することにより、搬送手段の清掃を容易に行なうことができる。
【００１５】
請求項２に記載の原稿搬送装置によれば、原稿読取面と相対する位置に形成された原稿読取用開口を通じて搬送ローラを露出するアクセス部がアクセス部材に凹設されるので、原稿読取面に対して開閉可能な原稿搬送装置を開けながら、アクセス部カバー部材をアクセス部材から取外すと、原稿読取用開口を通じて搬送ローラが露出する。これにより、原稿搬送装置を開いた状態で、清掃モードを入力することによって搬送ローラを駆動させ、この搬送ローラの原稿読取用開口を通じて露出する搬送面を介して、搬送ローラの搬送面全てを容易に清掃することができる。また、搬送ローラの露出は、原稿搬送装置を開いた状態で原稿読取用開口からアクセス部カバーを取り外すことにより容易に行うことができ、構成も簡易である。
【００１６】
請求項３に記載の画像読取装置によれば、前記原稿搬送装置を読取載置台に軸支される原稿押圧板に備えることにより、読取載置台の原稿読取面に対して開閉可能な原稿搬送装置を簡易な構成とすることができる。また、原稿押圧板を、原稿読取面に載置された原稿を押圧するとともに、前記原稿搬送装置を備えたものとすることができ、共用化を行なうことができる。さらに、清掃モードが入力されていないと、検出手段が原稿搬送装置の開状態を検出している場合には、制御手段が駆動源に電源からの電力供給を遮断して搬送手段を駆動不可能とする。これにより、画像読取手段が原稿読取面に載置した原稿を読取る原稿搬送装置を開いた状態である場合に、原稿搬送装置の節電を行なうことができる。
【発明を実施するための最良の形態】
【００１７】
図１は、本発明の実施の形態に係る自動原稿搬送機構を装備するコピー・ファクシミリ複合機１００（画像読取装置）の上部の断面を示す図である。図に示すように、該コピー・ファクシミリ複合機１００は、ＦＢＳとしての機能を有する読取載置台１０１と、自動原稿搬送機構としてＡＤＦ（原稿搬送装置）１を装備し、図２に示すように、読取載置台１０１の上面に対してヒンジ９０を介して開閉可能に設けられた原稿押圧板１０２とからなるものである。前記読取載置台１０１は、図１に示すように、略直方体の筐体１０の上面に、ＦＢＳにて原稿を読取る際の原稿読取面であるプラテンガラス１１と、ＡＤＦ１にて原稿の表面を読取る際の原稿読取面であるプラテンガラス１２とが設けられ、筐体１０内には原稿の画像を読取るＣＣＤ読取ユニット１３（画像読取手段）が内蔵されている。
【００１８】
前記コピー・ファクシミリ複合機１００を用いてＦＢＳにて原稿を読取るには、原稿押圧板１０２を開き、読取載置台１０１のプラテンガラス１１上に文書等の原稿を載置して原稿押圧板１０２を閉じ、該原稿に対してＣＣＤ読取ユニット１３を走査して画像読取りを行う。一方、ＡＤＦ１にて原稿の表面を読取るには、ＡＤＦ１により１枚ずつ搬送された原稿が、読取位置Ｐ１において読取載置台１０１のプラテンガラス１２上を通過する際に、該プラテンガラス１２の下方に移動したＣＣＤ読取ユニット１３で画像読取りを行う。
【００１９】
前記読取載置台１０１は、図２に示すように、原稿の読取り開始等を入力するための操作パネル１０３（入力手段）や、原稿押圧板１０２が読取載置台１０１の上面に接触しているか否かに基づき原稿押圧板１０２の開閉状態を検出する接触センサである第１開閉センサ１０４を具備している。なお、この第１開閉センサ１０４は原稿押圧板１０２に具備してあってもよく、また、原稿押圧板１０２に設けるマグネットの磁気を検出する磁気センサであってもよい。また、コピー・ファクシミリ複合機１００には、図示しないが、更に、記録用紙に画像を記録する画像記録部、画像を電送するための送信部、及び読取った画像を記録するための記録用紙を供給する給紙カセット等の周知の構成をも具備しており、また、これら周知の構成は一例且つ任意のものである。
【００２０】
ＣＣＤ読取ユニット１３は、読取位置へ光を照射する光源と、原稿からの反射光を所定の方向へ導くための複数の反射ミラーと、反射光を収束する集光レンズ１４と、該収束光を電気信号に変換して出力する電荷結合素子（Charge Coupled Device、以下「ＣＣＤ」という。）１５とを備える所謂縮小光学系の読取ユニットであり、光源と一部の反射ミラーは、駆動機構によりプラテンガラス１１に対して水平に往復移動する走査部１６に配設されている。このように構成されたＣＣＤ読取ユニット１３は、ＦＢＳにて原稿を読取るときには、走査部１６がプラテンガラス１１に対して水平に移動しながらプラテンガラス１１上の原稿を走査し、該原稿からの反射光をＣＣＤ１５へ導いて結像する。また、ＡＤＦ１にて原稿を読取るときには、走査部１６がプラテンガラス１２の下方へ移動して、ＡＤＦ１により読取位置Ｐ１を通過する原稿の画像を走査し、該原稿からの反射光をＣＣＤ１５へ導いて結像する。なお、図には示していないが、ＣＣＤ読取ユニット１３により読取られて電気信号に変換された画像信号は、アナログ／デジタル変換、シェーディング処理等が施された後、プリンタ等の画像記録部により記録用紙に記録され、又はＣＯＤＥＣ等の送信部により電送される。
【００２１】
前記原稿押圧板１０２は、図２に示すように、ヒンジ９０により読取載置台１０１の原稿読取面１１，１２に対して開閉可能に軸支されて設けられており、図３に示すように、本体フレーム１０２ａと該本体フレーム１０２ａに対して開閉可能なＡＤＦカバー１０２ｂとにより形成された空間内に前記ＡＤＦ１が装備されている。また、ＡＤＦカバー１０２ｂが本体フレーム１０２ｂに対して接触しているか否かに基づき、ＡＤＦカバー１０２ａの開閉状態を検出する接触センサである第２開閉センサ５０３（図１４参照）が、ＡＤＦカバー１０２ｂもしくは本体フレーム１０２ａに具備されている。なお、この第２開閉センサ５０３は、対応して配設されたマグネットの磁気を検出する磁気センサであってもよい。
【００２２】
前記ＡＤＦ１は、複数枚の原稿を積重状態で担持し原稿の供給部である原稿トレイ２と、横向き略Ｕ字状の搬送路３と、搬送後の原稿を積重状態で担持し原稿の排出部である排紙トレイ４と、原稿トレイ２上の原稿を搬送路３へ送り込む給紙ローラ５と、搬送路３において原稿をニップして搬送する搬送ローラ（搬送手段）６ａ〜６ｄ及び従動ローラ７ａ〜７ｄと、搬送路３の出口付近に設けられた排紙ローラ８と、読取位置Ｐ２において原稿の裏面の画像読取りを行うＣＩＳ読取りユニット９とを具備してなるものである。該ＡＤＦ１により、原稿トレイ２から搬送路３へ繰り込まれた原稿が、横向き略Ｕ字状の搬送路３に沿って上方から下方へＵターンするように反転して読取位置Ｐ１に搬送されて、該読取位置Ｐ１を通過する際に前記ＣＣＤ読取ユニット１３により原稿の表面の画像が読取られ、更に搬送路３を搬送されて読取位置Ｐ２を通過する際にＣＩＳ読取ユニット９により原稿の裏面の画像が読取られ、その後、原稿トレイ２の下方の排紙トレイ４へ排出されるようになっている。なお、本コピー・ファクシミリ複合機１００による原稿の両面読取りは任意であり、片面読取りのみ行うことも勿論可能である。
【００２３】
原稿トレイ２は、原稿押圧板１０２の上部に、原稿を供給する方向へ若干傾斜させて設けられており、その上面において複数枚の原稿を積重状態で担持するようになっている。使用者が原稿トレイ２上に原稿を載置する場合には、原稿トレイ２の傾斜下端側に原稿の先端を搬送路３の入口に挿入するようにして載置する。なお、図には示していないが、原稿トレイ２には、原稿の幅方向の位置を規制して原稿の斜め送りを防止する可変式のガイドが設けられている。一方、排紙トレイ４は原稿トレイ２と上下２段となるように設けられており、原稿押圧板１０２の本体フレーム１０２ａに一体として形成されている。
【００２４】
搬送路３は、図３に示すように、原稿トレイ２から排紙トレイ４へ横向き略Ｕ字状に形成されており、その折返し部分の直下流で前記プラテンガラス１２と相対する読取位置Ｐ１を通過し、さらに読取位置Ｐ１の下流側の読取位置Ｐ２であるＣＩＳ読取ユニット９の下方を通過して排紙トレイ４へ連通している。該搬送路３は内側ガイド面と外側ガイド面とが所定の厚みの原稿が通過可能な一定間隔で対向することにより形成されており、本体フレーム１０２ａに配設されたガイド部材であるペーパガイド３０及び中間フレーム１０２ｃが内側ガイド面を構成し、本体フレーム１０２ａ及びＡＤＦカバー１０２ｂが外側ガイド面を構成している。
【００２５】
給紙ローラ５は、搬送路３の入口付近においてＡＤＦカバー１０２ｂに配設されて、原稿トレイ２から繰り込まれた原稿と圧接しながら回転することにより該原稿を搬送路３へ送り込むものであり、例えば、金属製のローラ軸にシリコン製やＥＰＤＭ（Ethylene-Propylene-Diene Methilene linkage：エチレンプロピレンジエン三元共重合体）製のローラが固定されてなる。さらに、該給紙ローラ５の上流側には、原稿トレイ２に載置された原稿の最上紙を繰り出すためのピックアップローラ５０がＡＤＦカバー１０２ｂに配設されている。ピックアップローラ５０も、給紙ローラ５と同様に、原稿と圧接しながら回転することにより該原稿を搬送路３へ繰り込むものであり、不図示の給紙クラッチにより上下方向に揺動する揺動アーム５１に支持されている。該揺動アーム５１の揺動により、ピックアップローラ５０は、原稿トレイ２に原稿を載置する際等の通常の状態では搬送路３を開放するように上昇しており、原稿繰込み時に原稿の最上紙と接触するように降下し、ピックアップローラ５０及び給紙ローラ５が回転することにより、原稿の最上紙が搬送路３ヘ繰り込まれる。なお、ピックアップローラ５０は搬送路３の内側ガイド面に接触するまで降下可能であるので、原稿枚数により原稿の束の厚さが変化しても常に最上紙と接触可能である。また、図には示していないが、前記原稿トレイ２の原稿の有無は原稿セットセンサにより検知され、該検知信号に基づいて制御手段が給紙ローラ５、ピックアップローラ５０及び揺動アーム５１の動作を制御するものとなっている。
【００２６】
一方、前記給紙ローラ５の下方において中間フレーム１０２ｃに分離パッド５２が設けられている。該分離パッド５２は、原稿に対する摩擦係数が給紙ローラ５の原稿に対する摩擦係数より低く、且つ原稿同士の摩擦係数より高いものであり、例えばウレタン系樹脂で成形することが可能である。このような分離パッド５２が分離パッドホルダ５３の上面に貼設されている。該分離パッドホルダ５３は、搬送路３の内側ガイド面に揺動可能に嵌め込まれてコイルバネ５４により上方向に付勢されており、これにより、分離パッド５２が前記給紙ローラ５の搬送面に圧接され、該圧接部分を通過する原稿の厚みに応じて下方へ回動可能となっている。
【００２７】
また、前記中間フレーム１０２ｃには、ＣＩＳ読取ユニット９が、装備されている。ＣＩＳ読取ユニット９は、所謂密着形イメージセンサ（Contact Image Sensor、以下「ＣＩＳ」という。）を用いたものであり、図に詳細は示していないが、光源により照射された原稿からの反射光を収束性ファイバで光導電素子上に収束して読取る固定式の読取手段である。該ＣＩＳ読取ユニット９は、図３に示すように、前記ＣＣＤ読取ユニット１３が位置する搬送路３の対向側且つ下流側において中間フレーム１０２ｃに配設されており、これにより、搬送ローラ６ｄと従動ローラ７ｄとの間に圧接されニップされ搬送されてきた原稿の裏面の画像を読取る。プラテンローラ１８はＡＤＦ本体１０２ａに配設され、搬送された原稿をＣＩＳ読取ユニット９に圧接するとともに、ＣＩＳ読取ユニット９の白色基準となるものである。一般に、ＣＩＳ読取ユニット９に採用されているＣＩＳは被写体深度が浅いので、前記プラテンローラ１８により原稿をニップした状態で画像読取りを行うものとしている。なお、ＣＩＳ読取ユニット９により読取られて電気信号に変換された画像信号も、前記ＣＣＤ読取ユニット１３と同様に、アナログ／デジタル変換、シェーディング処理等が施された後、プリンタ等の画像記録部により記録用紙に記録され、又はＣＯＤＥＣ等の送信部により電送される。
【００２８】
搬送ローラ６ａ〜６ｄは、給紙ローラ５により送り込まれた原稿を、夫々と対向する従動ローラ７ａ〜７ｄとの間に圧接しニップして搬送路３に沿って搬送し、読取位置Ｐ１及び読取位置Ｐ２を一定速度にて通過させ、さらに下流側の排紙ローラ８へ搬送するものである。搬送ローラ６ａ，６ｂは、横向き略Ｕ字状の搬送路３の折返し部分より上流側に位置し、給紙ローラ５により搬送路３に送り込まれてきた原稿を、搬送路３の折返し部分より下流側へ搬送するものである。一方、搬送ローラ６ｃは、横向き略Ｕ字状の搬送路３の下流側であって読取位置Ｐ１の直上流に位置し、搬送ローラ６ｄは、横向き略Ｕ字状の搬送路３の下流側であって読取位置Ｐ１の直下流に位置し、前記搬送ローラ６ａ，６ｂにより搬送されてきた原稿を、読取位置Ｐ１及び読取位置Ｐ２へ順次搬送するものである。したがって、原稿の表面を読取る読取位置Ｐ１に対して、搬送ローラ６ｃ，６ｄが原稿をニップして読取位置Ｐ１を所定速度で搬送し、原稿の裏面を読取る読取位置Ｐ２に対して、搬送ローラ６ｄ及び排紙ローラ８が原稿をニップして読取位置Ｐ２を所定速度で搬送するようになっている。
【００２９】
前記搬送ローラ６ａ〜６ｄは、図４に示すように、本体フレーム１０２ａに固定されたペーパガイド３０に回動自在に軸支された各ローラ軸６０ａ〜６０ｄに複数のローラ本体６１ａ〜６１ｄが軸方向に所定間隔でそれぞれ固定されてなるものであり、例えば、金属製のローラ軸にシリコン製やＥＰＤＭ製のローラが固定されてなり、本実施の形態では１本のローラ軸６０ａ〜６０ｄに４個のローラ本体６１ａ〜６１ｄが夫々設けられているが、ローラ本体６１ａ〜６１ｄの数や位置は、搬送すべき原稿のサイズ等を考慮して適宜設定される。
【００３０】
前記ペーパガイド３０は、図４に示すように、横向き略Ｕ字状の搬送路３の折返し部分より上流側の内側ガイド面を構成する上側ペーパガイド３１と、該上側ペーパガイド３１の両側に設けられたサイドフレーム３２とがプラスチック材により一体成形されており、更に、上側ペーパガイド３１の下側に、搬送路３の折返し部分より下流側の内側ガイド面をともに構成する下側ペーパガイド（アクセス部材）３３と、ガイドカバー３４及びプラテンガイド３５（アクセス部カバー）が配設されてなるものである。以下、このペーパガイド３０の構成をさらに詳細に説明する。
【００３１】
上側ペーパガイド３１及びサイドフレーム３２のプラスチック材は、金型を用いて一体成形可能な合成樹脂であり、例えばＡＢＳやハイインパクトポリスチレン、これらにガラス繊維等の補強材を添加したものを用いることができる。上側ペーパガイド３１は、その上面の上流側が前記原稿トレイ２と同様に傾斜し、且つ下流側が下方へ向かって湾曲した形状の上部ガイド面３１０を有しており、該上部ガイド面３１０が、横向き略Ｕ字状の搬送路３の折返し部より上流側の内側ガイド面を構成する。該上部ガイド面３１０には紙送り用リブ３１１が幅方向に列設されており、上部ガイド面３１０を摺動しながら湾曲する原稿との接触面を少なくして該原稿に与える摩擦力を軽減している。
【００３２】
また、前記上部ガイド面３１０には、原稿の搬送方向と直交する方向に凹陥溝３１４が形成されている。該凹陥溝３１４は、上部ガイド面３１０に配設する搬送ローラ６ｂを収納するために、上部ガイド面３１０とともにペーパガイド３０に一体的に形成されており、搬送ローラ６ｂのローラ本体６１ｂの外形より若干大きな断面Ｕ字状の溝である。搬送ローラ６ｂのローラ本体６１ｂに対応する凹陥溝３１４の各位置では、前記紙送りリブ３１１が、凹陥溝３１４の上流壁及び下流壁から溝幅を狭める方向に突出されている。
【００３３】
サイドフレーム３２は、前記上側ペーパガイド３１の両側に一体成形されたものであり、搬送ローラ６ａ〜６ｄを支持するとともに、上側ペーパガイド３１を補強している。各サイドフレーム３２の周縁には、図６に示すように、補強リブ３２０が水平方向外側に突設されて、各サイドフレーム３２の剛性を高めている。該補強リブ３２０には適宜貫通孔３２１が穿設されており、これら貫通孔３２１にネジ等の固定具を挿通して、前記原稿押圧板１０２の本体フレーム１０２ａにペーパガイド３０をネジ止めにて固定する。また、両サイドフレーム３２には、各搬送ローラ６ａ〜６ｄのローラ軸６０ａ〜６０ｄが挿通される貫通孔３２２が夫々穿設されている。該貫通孔３２２に各ローラ軸６０ａ〜６０ｄが夫々挿通されて回転自在に支持されることにより、各搬送ローラ６ａ〜６ｄが上側ペーパガイド３１に対して所定位置に配設される。
【００３４】
次に、搬送ローラ６ａ〜６ｄの駆動伝達機構を図面に基づいて説明する。該駆動伝達機構は、図５に示すように、前記サイドフレーム３２の側方に配設されている。搬送ローラ６ａ〜６ｄを駆動させる駆動源である駆動モータ４００は、コピー・ファクシミリ複合機１００の電源５０１（図１４参照）に電気的に接続されるとともに、本体フレーム１０２ａの前記ヒンジ９０（図２参照）側に配設されている。駆動モータ４００の駆動軸４０１には駆動ギア４０２が設けられ、さらに電磁クラッチ４０３を介して駆動ギア４０４が設けられている。この電磁クラッチ４０３は、制御手段５００（図１４参照）によって制御される電流が流入することによって、電磁石が励磁され可動鉄片（アーマチュア）を吸引し摩擦板と接触させて、駆動モータ４００から駆動ギア４０４への駆動伝達を接続する。一方、前記電流の流入がないと、電磁クラッチ４０３は駆動モータ４００から駆動ギア４０４への駆動伝達を切断する。この電磁クラッチ４０３は、ＡＤＦカバー１０２ｂ（図３参照）が開いたことに連動させて、搬送ローラ６ｃ，６ｄへの駆動伝達を切断して自由回転状態とし、紙詰まりを解消するために設けられている。
【００３５】
駆動モータ４００の駆動軸４０１に、電磁クラッチ４０３を介して連結された駆動ギア４０４には、図６に示すように、搬送ローラ６ｄのローラ軸６０ｄに連結された搬送ギア４０５が噛合して駆動モータ４００から搬送ローラ６ｄに駆動伝達が行われている。さらに、このローラ軸６０ｄに連結された搬送プーリ４０６から搬送ローラ６ｃのローラ軸６０ｃに連結された搬送プーリ４０７にベルト４０８が巻架され、前記駆動モータ４００から電磁クラッチ４０３を介して搬送ローラ６ｃに駆動伝達が行われている。前記駆動モータ４００の駆動軸４０１に連結された駆動ギア４０２には、搬送ローラ６ｂのローラ軸６０ｂに連結された搬送ギア４０９が噛合して駆動モータ４００から搬送ローラ６ｂに駆動伝達が行われている。さらに、駆動ギア４０２には、搬送ローラ６ａのローラ軸６０ａに連結された搬送ギア４１０が中間ギア４１１を介して噛合しており、駆動モータ４００から搬送ローラ６ａに駆動伝達が行われている。なお、これら駆動伝達機構は一例であり、他の駆動機構を採用することも勿論可能である。このような駆動伝達機構により上側ペーパガイド３１に軸支された各搬送ローラ６ａ〜６ｄが回転される。
【００３６】
前記上側ペーパガイド３１の下側に配設される下側ペーパガイド３３及びガイドカバー３４は、プラスチック材により夫々成形されたものであり、図７に示すように、上側ペーパガイド３１に下側ペーパガイド３３が配設され、該下側ペーパガイド３３にガイドカバー３４とプラテンガイド３５とが配設されて、横向き略Ｕ字状の搬送路３の折返し部分より下流側の内側ガイド面を構成する。該プラテンガイド３５は、読取位置Ｐ１において内側ガイド面として原稿の通過位置を規制するとともに、ＣＣＤ読取ユニット１３の白色基準として用いられるものである。下側ペーパガイド３３は、スナップフィットにより上側ペーパガイド３１に嵌着できるようになっている。また、ガイドカバー３４は、スナップフィットにより下側ペーパガイド３３に、前記本体フレーム１０２ａの画像読取用開口２０から嵌着できるようになっている。プラテンガイド３５は、下側ペーパガイド３３に形成された支軸３３９に支持されるとともに、本体フレーム１０２ａの画像読取用開口２０から下側ペーパガイド３３に嵌着できるようになっている。以下、これら下側ペーパガイド３３、ガイドカバー３４及びプラテンガイド３５について詳細に説明する。
【００３７】
下側ペーパガイド３３は、図４、図７及び図８に示すように、上側ペーパガイド３１の下側に配設されて、その下面３３０ａ，３３０ｂが搬送路３の折返し部分より下流側の内側ガイド面を構成するものである。下側ペーパガイド３３の下面３３０ａは、搬送路３の折返し部分より下流側の内側ガイド面の内、読取位置Ｐ１より上流側の内側ガイド面を構成する。一方、下側ペーパガイド３３の下面３３０ｂは、搬送路３の折返し部分より下流側の内側ガイド面の内、読取位置Ｐ１より下流側の内側ガイド面を構成する。下側ペーパガイド３３の上流端には、原稿幅方向に所定間隔で爪３３１が突設されており、両側壁には係止孔３３２ａが形成された突片３３２が水平方向外側に突設されている。一方、前記上側ペーパガイド３１には、搬送路３の折り返し部分に相当するガイド面３１０の下流端であって前記各爪３３１に対応する位置に係止孔３１６が夫々穿設されており、また、図７に示すように、上側ペーパガイド３１の両側付近であって前記突片３３２に対応する位置に鉤状の係止爪３１７が形成されている。図８に示すように、下側ペーパガイド３３の爪３３１が上側ペーパガイド３１の係止孔３１６に嵌挿されるとともに、図９に示すように、下側ペーパガイド３３の突片３３２の係止孔３３２ａに上側ペーパガイド３１の係止爪３１７が挿通されて、鉤部３１７ａにより突片３３２を係止することにより、上側ペーパガイド３１に下側ペーパガイド３３が組み付けられる。係止爪３１７は、上側ペーパガイド３１と一体成形された合成樹脂製のものであり、前記係止孔３３２に挿通させる際には上流側へ傾くように変形させることが容易なので、工具等を用いることなく下側ペーパガイド３３を上側ペーパガイド３１に組み付けることができる。
【００３８】
また、下側ペーパガイド３３には、図８及び図１０に示すように、下面３３０ａと下面３３０ｂとの間、即ち読取位置Ｐ１にアクセス部３３３が凹設されている。該アクセス部３３３は、読取位置Ｐ１の直上流及び直下流の各搬送ローラ６ｃ，６ｄ間において下面３３０ａ，３３０ｂの幅方向に渡って凹設されており、上流側より下流側の凹みが大きい２段の凹みとなっている。該アクセス部３３３の上流側及び下流側の各上隅部には、前記各搬送ローラ６ｃ，６ｄのローラ本体６１ｃ，６１ｄに対応する位置に抜き穴３３４が形成されており、各抜き穴３３４から各ローラ本体６１ｃ，６１ｄの搬送面の一部が露出するようになっている。また、読取位置Ｐ１の上流側及び下流側の下面３３０ａ，３３０ｂにも抜き穴３３５が形成されており、該抜き穴３３５から各ローラ本体６１ｃ，６１ｄの搬送面の一部を露出させるようになっている。
【００３９】
ガイドカバー３４は、図４、図７、図８及び図１０に示すように、下側ペーパガイド３３のアクセス部３３３の下流側を覆うように下側ペーパガイド３３に着脱可能に組み付けられるものである。ガイドカバー３４のの下面３４０は、下側ペーパガイド３３の下面３３０ｂから上流側に向かって連続するように設けられ、該下側ペーパガイドの下面３３０ｂとともに、搬送路３の読取位置Ｐ１の下流側の内側ガイド面を構成する。ガイドカバー３４の上流端には、原稿幅方向に所定間隔で切欠き３４１ａが形成された突片３４１が水平方向に突設されており、下流端には原稿幅方向に所定間隔で爪３４２が突設されている。一方、図７に示すように、下側ペーパガイド３３の２段構造のアクセス部３３３の上流部には鉤状の係止爪３３６が設けられており、アクセス部３３３の下流側の下隅部近傍には凹陥部３３７が形成されている。ガイドカバー３４の爪３４２が下側ペーパガイド３３の凹陥部３３７に嵌入されるとともに、下側ペーパガイド３３の係止爪３３６によりガイドカバー３４の突片３４１が係止されることにより、下側ペーパガイド３３にガイドカバー３４が組み付けられる。係止爪３３６は、下側ペーパガイド３３と一体成形された合成樹脂製のものであり、前記突片３４１に係止させる際には上流側へ傾くように変形させることが容易なので、工具等を用いることなく人手のみによりガイドカバー３４を下側ペーパガイド３３に着脱可能である。
【００４０】
プラテンガイド３５は、図４、図７、図８、図１０及び図１１に示すように、下側ペーパガイド３３のアクセス部３３３の上流側を覆うように下側ペーパガイドに着脱可能に組み付けられるものである。プラテンガイド３５の下面３５０は、下側ペーパガイド３３の下面３３０ａとガイドカバー３４の下面３４０との間、即ち読取位置Ｐ１に対向する搬送路３の内側ガイド面を構成する。また、この下面３５０には、前記ＣＣＤ読取ユニット１３の白色基準となるべく白色のテープ３５０ａが貼り付けられている。図１１に示すように、プラテンガイド３５の両側には、原稿搬送方向の下流端に、起立部３５１が形成され、各起立部３５１に軸孔３５２が穿設されている。また、プラテンガイド３５の上流端には原稿幅方向に所定間隔で係止片である爪３５３が突設されている。一方、下側ペーパガイド３３の両側壁には、下端から垂直上方へ所定間隔で切欠きを設けることにより支持片３３８が夫々形成されており、支持片３３８の内側には支軸３３９が水平方向に突設されている。また、図８に示すように、アクセス部３３３の上流側の下隅部近傍には前記爪３５３に対応する位置に係止孔３５４が形成されている。プラテンガイド３５の爪３５３が下側ペーパガイド３３の係止孔３５４に係入されるとともに、プラテンガイド３５の軸孔３５２に下側ペーパガイド３３の支軸３３９が挿入されることにより、下側ペーパガイド３３にプラテンガイド３５が支軸３３９を軸として係止孔３５４の範囲内を揺動限界として揺動可能に組み付けられ、アクセス部３３３の上流部分に配設された弾性部材であるコイルスプリング３５６により該プラテンガイド３５は読取位置Ｐ１側方向である下方向に付勢されている。前記支持片３３８は、その両側の切欠きにより、支軸３３９を軸孔３５２に挿入させる際には外側へ傾くように変形させることが容易なので、工具等を用いることなくプラテンガイド３５を下側ペーパガイド３３に着脱可能である。また、プラテンガイド３５の下面３５０の両側部には、プラテンガラス１２との間隔を一定に保つための凸部３５５が形成されている。該凸部３５５が読取位置Ｐ１のプラテンガラス１２に当接することにより、プラテンガイド３５とプラテンガラス１２との間隔を常に一定に保ち、読取位置Ｐ１において原稿が一定位置を通過するように案内する。前述したように、該プラテンガイド３５は揺動可能であり下方向に付勢されているので、原稿押圧板１０２が完全に閉じられずに読取載置台１０１との間に若干の隙間が生じたような場合にも、プラテンガイド３５が揺動することにより、プラテンガイド３５とプラテンガラス１２との間隔が一定に保たれる。なお、本実施の形態では、前記プラテンガイド３５の下面３５０にテープ３５０ａを貼り付けてＣＣＤ読取ユニット１３の白色基準としているが、テープ３５０ａに代えてプラテンガイド３５の下面３５０を白色に塗装して白色基準とすることもできる。
【００４１】
このようにして、上側ペーパガイド３１に、下側ペーパガイド３３、ガイドカバー３４、及びプラテンガイド３５を順次組み付けることができる。また、搬送ローラ６ｃ，６ｄのローラ本体６１ｃ，６１ｄを清掃する際には、原稿押圧板１０２を開いた状態で、プラテンガイド３５及びガイドカバー３４を前記本体フレーム１０２ａの画像読取用開口２０を介して取り外せば、下側ペーパガイド３３のアクセス部３３３の抜き穴３３５を通じてローラ本体６１ｃ，６１ｄの搬送面にアクセスすることができるので、ペーパガイド３０を分解する必要がなく、また、プラテンガイド３５及びガイドカバー３４の着脱は工具等を用いることなく容易に行うことができる。また、下側ペーパガイド３３、ガイドカバー３４、及びプラテンガイド３５を、ネジ等の固定用の補材を用いることなく、スナップフィットにより上側ペーパガイド３１又は下側ペーパガイド３３に夫々固定するようにしたので、工具等を必要とせず人手のみにより組付作業及び分解作業を容易に行うことができる。
【００４２】
以下、前記本体フレーム１０２ａの構成を詳細に説明する。該本体フレーム１０２ａは、図１２に示すように、ペーパガイド３０の下側ペーパガイド３３のアクセス部３３３を覆うガイドカバー３４とプラテンガイド３５に対応する位置に画像読取用開口２０が形成されており、ペーパガイド３０が本体フレーム１０２ａに固定されると、プラテンガイド３５は画像読取用開口２０からプラテンガラス１２へ向かって突出する。該画像読取用開口２０は、図３に示すように、原稿押圧板１０２を読取載置台１０１に対して閉じた際にプラテンガラス１２に相対するものとなる。ペーパガイド３０に沿って搬送された原稿は、読取位置Ｐ１において該画像読取用開口２０から突出するプラテンガイド３５により、プラテンガラス１２から一定位置を通過するように案内され、ＣＣＤ読取ユニット１３（図１参照）により画像が読取りされる。該画像読取用開口２０の上流側及び下流側は、各々画像読取用開口２０から上方へ向かって傾斜した外側ガイド面２１，２２となっており、これら外側ガイド面２１，２２が、横向き略Ｕ字状の搬送路３の折返し部分より下流側であって読取位置Ｐ１の上流及び下流の外側のガイド面を構成し、ペーパガイド３０の下側ペーパガイド３３等の対向する内側のガイド面とともに搬送路３を構成する。
【００４３】
前記外側ガイド面２１，２２には、図１２に示すように、４つの切欠部２３，２４が夫々幅方向に所定間隔で形成されており、該切欠部２３，２４に前記搬送ローラ６ｃ，６ｄと対向する従動ローラ７ｃ，７ｄが夫々配設されて、そのローラ本体の一部が切欠き部２３，２４から夫々ガイド面２１，２２に露出している。これら従動ローラ７ｃ，７ｄが、前記ペーパガイド３０の折返し部分の下流側に配設される各搬送ローラ６ｃ，６ｄと夫々対向して、読取位置Ｐ１の直上流及び直下流において原稿をニップしながら搬送する。
【００４４】
さらに、前記ガイド面２２の下流側には、ＣＩＳ読取ユニット９と対向する前記プラテンローラ１８が配設される凹陥部２５が形成されている。また、ガイド面２２の最下流端には、前記切欠部２３，２４と同様に４つの凹陥部２６が形成されており、該凹陥部２６に排紙ローラ８が配設されている。
【００４５】
また、図１２に示すように、本体フレーム１０２ａの背面側には、前記ペーパガイド３０が配設される左側に切欠部２７Ｌが形成され、右側に本体フレーム１０２ａの底面を窪ませてなる凹部２７Ｒが形成されている。該切欠部２７Ｌ及び凹部２７Ｒは、原稿押圧板１０２を読取載置台１０１に対して枢支するヒンジ９０（図２参照）を取り付けるためのものであり、通常、左右一対に設けられる。該切欠部２７Ｌが形成された背面側、及び外側ガイド面２１，２２の正面側に適宜補強リブ２８が形成されており、切欠部２７Ｌの周囲にはヒンジ９０を本体フレーム１０２ａに固定するためのネジ孔２９が設けられ、外側ガイド面２１，２２の両側にも同様にペーパガイド３０を本体フレーム１０２ａに固定するためのネジ孔２９が設けられている。一方、凹部２７Ｒは、ヒンジ９０を取り付けるための周知の構成である。
【００４６】
このように構成された本体フレーム１０２ａの外側ガイド面２１，２２に、前記ペーパガイド３０の下側ペーパガイド３３等により構成される内側ガイド面を対向させて、ペーパガイド３０が本体フレーム１０２ａに固定される。また、図３に示すように、本体フレーム１０２ａの下面には、読取載置台１０１がＦＢＳとして機能するときにプラテンガラス１１上に載置された原稿を押圧する押圧パッド１９が接着にて固定される。
【００４７】
また、本体フレーム１０２ａには、図１３に示すように、ＡＤＦカバー１０２ｂが、支点Ｃ１にて軸支されることにより、本体フレーム１０２ａに対して開閉可能に配設されており、該ＡＤＦカバー１０２ｂを本体フレーム１０２ａに対して開けることにより、該ＡＤＦカバー１０２ｂに配設された前記給紙ローラ５、ピックアップローラ５０や従動ローラ７ａ，７ｂがともに回動して、搬送ローラ６ａ，６ｂと従動ローラ７ａ，７ｂとのニップをそれぞれ解除することができる。
【００４８】
また、本体フレーム１０２ａには、図１３に示すように、中間フレーム１０２ｃが、搬送ローラ６ａのローラ軸６０ａの軸心と同じ支点Ｃ２にて軸支されることにより、本体フレーム１０２ａに対して開閉可能に配設されており、該中間フレーム１０２ｃを本体フレーム１０２ａに対して開けることにより、該中間フレーム１０２ｃに配設されたＣＩＳ読取ユニット９や一方の排紙ローラ８がともに回動して、ＣＩＳ読取ユニット９とプラテンローラ１８とのニップ、及び排紙ローラ８のニップをそれぞれ解除することができる。
【００４９】
次に、搬送ローラ６ａ〜６ｄの回転を制御する制御手段５００について、図面に基づいて説明する。該制御手段５００は、図１４に示すように、操作パネル１０３（図２参照）やネットワーク等を経由したＰＣなどの外部端末などの各種入力手段からの指示入力や、前記第１開閉センサ１０４（図２参照）と第２開閉センサ５０３から出力される検出信号に基づいて、駆動モータ４００（図５参照）への電源５０１からの電源供給の有無、電磁クラッチ４０３による駆動接続・切断及び駆動モータ４００の回転を制御することにより、搬送ローラ６ａ〜６ｄの回転を制御する機能を有するものであり、ＭＰＵ（Micro Processing Unit）とＲＯＭ（Read Only Memory）を有して構成されている。ここで、ＭＰＵはバスを介してコピー・ファクシミリ複合機１００を構成する各部と接続されており、これらの各部の動作制御を行なう演算処理回路である。また、第１開閉センサ１０４は、原稿押圧板１０２の読取載置台１０１に対する開閉状態を検出し、原稿押圧板１０２が読取載置台１０１に対して開いている、もしくは完全には閉じていない状態を検出すると開状態を示す開情報を、原稿押圧板１０２が読取載置台１０１に対して完全に閉じている状態を検出すると閉状態を示す閉情報を、検出信号としてそれぞれ制御手段５００に出力する。一方、第２開閉センサ５０３は、ＡＤＦカバー１０２ｂのＡＤＦ本体１０２ａに対する開閉状態を検出し、ＡＤＦカバー１０２ｂがＡＤＦ本体１０２ａに対して開いている、もしくは完全には閉じていない状態を検出すると開状態を示す開情報を、ＡＤＦカバー１０２ｂがＡＤＦ本体１０２ａに対して完全に閉じている状態を検出すると閉状態を示す閉情報を、検出信号としてそれぞれ制御手段５００に出力する。
【００５０】
次に、このような制御手段５００の制御動作について、図１５に示すブロック図に基づいて説明する。
使用者や清掃者などの指示入力者によって入力手段である操作パネル１０３から搬送ローラ６ａ〜６ｄの少なくとも１つを清掃するための清掃モードが設定されている場合には（Ｓ１：ＹＥＳ）、駆動モータ４００へ電源５０１から電力を供給して通電状態とする（Ｓ２）。次に、ＡＤＦカバー１０２ｂがＡＤＦ本体１０２ａに対して完全に閉じている状態であるか否かを示す第２開閉センサ５０３から閉情報が入力されている場合には（Ｓ３：ＮＯ）、これに連動させて電磁クラッチ４０３により駆動モータ４００から搬送ローラ６ｃ，６ｄへの駆動伝達を切断し（Ｓ４）、搬送ローラ６ａ，６ｂのみを駆動可能とする。その後、指示入力者によって操作パネル１０３から搬送ローラ６ａ〜６ｄの回転開始を指示するスタートが入力されると（Ｓ５：ＹＥＳ）、駆動モータ４００を所定速度にて駆動回転させて（Ｓ６）、指示入力者によって操作パネル１０３から搬送ローラ６ａ〜６ｄの回転終了を指示するストップが入力されるまで（Ｓ７：ＮＯ）、搬送ローラ６ａ〜６ｄを清掃に適した所定速度にて回転させる。ストップが入力された場合には（Ｓ７：ＹＥＳ）、駆動モータ４００の回転を停止させて（Ｓ８）、搬送ローラ６ａ〜６ｄの回転を停止させ、スタートが入力される（Ｓ５）ことに備える。
【００５１】
一方、ＡＤＦカバー１０２ｂがＡＤＦ本体１０２ａに対して完全に閉じている状態であるか否かを示す第２開閉センサ５０３から閉情報が入力されている場合には（Ｓ３：ＹＥＳ）、電磁クラッチ４０３により駆動モータ４００から搬送ローラ６ｃ，６ｄへの駆動伝達を接続し（Ｓ９）、搬送ローラ６ａ〜６ｄを全て駆動可能とする。その後、指示入力者によって操作パネル１０３から搬送ローラ６ａ〜６ｄの回転開始を指示するスタートが入力されると（Ｓ１０：ＹＥＳ）、駆動モータ４００を所定速度にて駆動回転させて（Ｓ１１）、指示入力者によって操作パネル１０３から搬送ローラ６ａ〜６ｄの回転終了を指示するストップが入力されるまで（Ｓ１２：ＮＯ）、搬送ローラ６ａ〜６ｄを清掃に適した所定速度にて回転させる。ストップが入力された場合には（Ｓ１２：ＹＥＳ）、駆動モータ４００の回転を停止させて（Ｓ１３）、搬送ローラ６ａ〜６ｄの回転を停止させ、スタートが入力される（Ｓ１１）ことに備える。なお、搬送ローラ６ａ〜６ｄの清掃に適した所定速度とは、布などを搬送面に押し当て清掃する時に適した低速であれば限定されるものではなく、例えば、原稿搬送時の速度の内、遅い速度とすることができ、また、速度設定が可能なものであってもよい。さらに、清掃モードを設定する前に、コピー・ファクシミリ複合機１００のメンテナンス一般に対応するメンテナンスモードの設定を予め必要とするものであってもよい。
【００５２】
他方、清掃モードが操作パネル１０３から設定されていない場合は（Ｓ１：ＮＯ）、コピー・ファクシミリ複合機１００がコピー機能、スキャナ機能、ファクシミリ機能等の前記搬送ローラ６ａ〜６ｄの清掃以外の通常機能を行なう場合に備える。原稿押圧板１０２が読取載置台１０１に対して完全に閉じている状態であるか否かを示す第１開閉センサ１０４から開情報が入力されている場合には（Ｓ１４：ＮＯ）、コピー・ファクシミリ複合機１００はＦＢＳにて原稿を読取り、ＡＤＦを機能させる必要がないとみなし、駆動モータ４００への電源５０１からの電力の供給を遮断して非通電状態とし（Ｓ１５）、搬送ローラ６ａ〜６ｄを駆動不可能とし、節電を行なう。一方、第１開閉センサ１０４から閉情報が入力されている場合には（Ｓ１４：ＹＥＳ）、駆動モータ４００へ電源５０１から電力を供給して通電状態とする（Ｓ１６）。
【００５３】
次に、ＡＤＦカバー１０２ｂがＡＤＦ本体１０２ａに対して完全に閉じている状態であるか否かを示す第２開閉センサ５０３から開情報が入力されている場合には（Ｓ１７：ＮＯ）、これに連動させて電磁クラッチ４０３により駆動モータ４００から搬送ローラ６ｃ，６ｄへの駆動伝達を切断し（Ｓ１８）、搬送ローラ６ａ，６ｂのみを駆動可能とする。これにより、原稿の紙詰りを解消することが可能になる。一方、第２開閉センサ５０３から閉情報が入力されている場合には（Ｓ１７：ＹＥＳ）、電磁クラッチ４０３により駆動モータ４００から搬送ローラ６ｃ，６ｄへの駆動伝達を接続し（Ｓ１９）、搬送ローラ６ａ〜６ｄを全て駆動可能とする。これにより、ＡＤＦを機能させ原稿を搬送することが可能な状態となる。
【００５４】
以下、このようなコピー・ファクシミリ複合機１００において、ＡＤＦ１の搬送ローラ６ａ〜６ｄを清掃する手順を説明する。
搬送ローラ６ａ，６ｂは、図１３に示したように、読取載置台１０１に対して原稿押圧板１０２を閉じた状態でＡＤＦカバー１０２ｂを開けることにより、搬送ローラ６ａ，６ｂと従動ローラ７ａ，７ｂとのニップがそれぞれ解除されるとともに、これらの搬送面が露出される。この時、清掃者が操作パネル１０３から清掃モードの設定を入力すると（Ｓ１：ＹＥＳ）、原稿押圧板１０２が読取載置台１０１に対して完全に閉じている状態であるか否かを示す第１開閉センサ１０４からの検出情報に関わらず、制御手段５００は駆動モータ４００へ電源５０１から電力を供給し通電状態にする（Ｓ２）。ＡＤＦカバー１０２ｂが開いているため、第２開閉センサ５０３からの検出情報は開情報であるので（Ｓ３：ＮＯ）、制御手段５００は電磁クラッチ４０３による駆動モータ４００へ搬送ローラ６ｃ，６ｄへの駆動伝達を切断し（Ｓ４）、搬送ローラ６ａ，６ｂのみを駆動可能にする。その後、清掃者は操作パネル１０３からスタートを入力し（Ｓ５：ＹＥＳ）、駆動モータを所定速度にて回転させて（Ｓ６）、搬送ローラ６ａ，６ｂを清掃に適した所定速度にて回転させる。回転する搬送ローラ６ａ，６ｂのローラ本体６１ａ，６１ｂの露出した搬送面に洗浄液を染み込ませた布などを押し当てることによって、ローラ本体６１ａ，６１ｂの搬送面全てを容易に清掃することができる。清掃後、清掃者は、操作パネル１０３からストップを入力し（Ｓ７：ＹＥＳ）、搬送モータ４００の回転を停止させた後（Ｓ８）、清掃モードの設定を解除する（Ｓ１：ＮＯ）。
【００５５】
一方、原稿読取用開口２０の直上流及び直下流に配設された搬送ローラ６ｃ，６ｄとこれらに対向する従動ローラ７ｃ，７ｄとのニップは、搬送ローラ６ｃ，６ｄを軸支するペーパガイド３０と従動ローラ７ｃ，７ｄを配設する本体フレーム１０２ａとがネジなどの固定具により固定されているので、この固定具を取り外さなければ解除することができない。したがって、コピー・ファクシミリ複合機１００においては、ＡＤＦ１の搬送ローラ６ｃ，６ｄは以下の手順で清掃を行う。
【００５６】
まず、ＡＤＦ１が装備された原稿押圧板１０２を、図２に示すように、読取載置台１０１に対して開き、図１６に示すように、本体フレーム１０２ａの下側から前記原稿読取用開口２０が露呈した状態とする。この状態では、搬送ローラ６ｃ，６ｄはまったく露出されていない。
【００５７】
次に、図１７に示すように、プラテンガイド３５をペーパガイド３０から前記原稿読取用開口２０を通じて、本体フレーム１０２ａの下側から取り外す。詳細には、図１１に示したペーパガイド３０の下側ペーパガイド３３の片方の支持片３３８の先端部を外側に向けて押圧して傾かせ、プラテンガイド３５の軸孔３５２から下側ペーパガイド３３の支軸３３９を外す。この時、プラテンガイド３５は図８に示したようにコイルスプリング３５６によって原稿押圧板１０２の下方向に付勢されているので、爪３５３にて下側ペーパガイド３３の係止孔３５４と係止したまま、その係止部を中心に少し回転するため、支持片３３８の押圧を解除しても、再び軸孔３５２に支軸３３９が嵌らない。更に、他方の支軸３３９からも、同様にプラテンガイド３５の反対側の軸孔３５２を外す。次に、ガイドカバー３４側にプラテンガイド３５を移動させ、下側ペーパガイド３３の係止孔３５４との係止からプラテンガイド３５の爪３５３を解除し、プラテンガイド３５を本体フレーム１０２ａの画像読取用開口２０から取り外す。前述したように、支持片３３８は、その両側の切欠きにより、支軸３３９を軸孔３５２に挿入させる際には外側へ傾くように変形させることが容易なので、工具等を用いることなく人手によりプラテンガイド３５を下側ペーパガイド３３から取り外すことができる。これにより、図に示すように、下側ペーパガイド３３のアクセス部３３３の抜き穴３３５から搬送ローラ６ｃのローラ本体６１ｃの搬送面の一部が、本体フレーム１０２ａの画像読取用開口２０に対して露出する。
【００５８】
次に、図１８に示すように、ガイドカバー３４をペーパガイド３０の下側ペーパガイド３３から本体フレーム１０２ａの画像読取用開口２０を通じて取り外す。詳細には、先ず、下側ペーパガイド３３の係止爪３３６の先端付近を上流側に向けて押圧し、係止爪３３６を変形させて傾かせ、ガイドカバー３４の突片３４１を係止爪３３６との係止を解除する。これとともに、ガイドカバー３４を下流側に移動させ、ガイドカバー３４の爪３４２を下側ペーパガイド３３の凹陥部３３７との嵌入から解除し、ガイドカバー３４を下側ペーパガイド３３から本体フレーム１０２ａの画像読取用開口２０を介して取り外す。前述したように、係止爪３３６は、下側ペーパガイド３３と一体成形された合成樹脂製のものであり、前記突片３４１に係止させる際には上流側へ傾くように変形させることが容易なので、工具等を用いることなく人手のみによりガイドカバー３４を下側ペーパガイド３３から取り外すことができる。これにより、図に示すように、下側ペーパガイド３３のアクセス部３３３の抜き穴３３４から搬送ローラ６ｄのローラ本体６１ｄの搬送面の一部が、本体フレーム１０２ａの画像読取用開口２０に対して露出する。
【００５９】
図１８に示す状態において、清掃者が操作パネル１０３から清掃モードの設定を入力すると（Ｓ１：ＹＥＳ）、原稿押圧板１０２が読取載置台１０１に対して完全に閉じていない状態である開状態を示す第１開閉センサ１０４からの検出情報に関わらず、制御手段５００は駆動モータ４００へ電源５０１から電力を供給し通電状態にする（Ｓ２）。ＡＤＦカバー１０２ｂが閉じているため、第２開閉センサ５０３からの検出情報は閉情報であるので（Ｓ３：ＹＥＳ）、制御手段５００は電磁クラッチ４０３による駆動モータ４００へ搬送ローラ６ｃ，６ｄへの駆動伝達を接続し（Ｓ９）、搬送ローラ６ａ〜６ｄを全て駆動可能にする。その後、清掃者は操作パネル１０３からスタートを入力し（Ｓ１０：ＹＥＳ）、駆動モータを所定速度にて回転させて（Ｓ１１）、搬送ローラ６ａ〜６ｄを清掃に適した所定速度にて回転させる。回転する搬送ローラ６ｃ，６ｄのローラ本体６１ｃ，６１ｄの画像読取用開口２０から奥まった位置にて露出した搬送面に洗浄液を染み込ませた布などを押し当てることにより、清掃者はローラ本体６１ｃ，６１ｄの搬送面全てを容易に清掃することができる。清掃後、清掃者は、操作パネル１０３からストップを入力して（Ｓ１２：ＹＥＳ）、搬送モータ４００の回転を停止させた後（Ｓ１３）、清掃モードの設定を解除する（Ｓ１：ＮＯ）。なお、清掃者が操作パネル１０３からの設定を入力した後、原稿押圧板１０２を開けてガイドカバー３４及びプラテンガイド３５を取り外し図１８に示す状態にしてから、スタートを入力してもよい。
【００６０】
その後、前記取り外し手順と逆の手順を辿ることによって、原稿押圧板１０２の下側ペーパガイド３３に、本体フレーム１０２ａの画像読取用開口２０を通じて、ガイドカバー３４、プラテンガイド３５の順に取り付ける。該取付作業も、工具等を用いることなく人手により容易に行うことができる。このように、ＡＤＦ１が装備された原稿押圧板１０２の下側から搬送ローラ６ｃ，６ｄへアクセスする時、原稿押圧板１０２を開けた状態においても、搬送ローラ６ｃ，６ｄを駆動する駆動モータ４０１へ電力を供給することにより、搬送ローラ６ｃ，６ｄが駆動可能となるので、清掃時に搬送ローラ６ｃ，６ｄを清掃に適した所定速度で回転させることができ、搬送面の露出した部分に布などを押し当てるたけで、搬送面全ての清掃を容易に行なうことができる。また、原稿押圧板１０２からペーパガイド３０等を取り外すことなく、原稿押圧板１０２を開いた状態で画像読取用開口２０を通じてガイドカバー３４とプラテンガイド３５を着脱して、搬送ローラ６ｃ，６ｄのローラ本体６１ｃ，６１ｄを画像読取用開口２０を通じて露出させることができるので、搬送ローラ６ｃ，６ｄの清掃を容易に行うことができる。
【００６１】
したがって、ＡＤＦ１により多数の原稿を搬送することに伴い、原稿の未定着トナー、朱肉や筆記具のかすや紙粉などの異物が付着した搬送ローラ６ｃ，６ｄの搬送面から異物を除去することができ、読取位置Ｐ１の直上流の搬送ローラ６ｃを清掃することによって、その搬送面に付着した異物が後続の原稿によりプラテンガラス１２へ運ばれて付着し、読取り画像に黒すじとなって現われるという問題を防止あるいは解消することができる。また、読取位置Ｐ２の直上流の搬送ローラ６ｄを清掃することによっても、同様に、その搬送面に付着した異物がＣＩＳ読取ユニット９に付着して、読取り画像に黒すじとなって現われるという問題を防止あるいは解消することができる。また、搬送ローラ６ｄによって搬送される原稿に滑りが発生し、所定の速度を保った良好な搬送がなされず、読取り画像に歪みが起こるという問題を防止あるいは解消することができる。
【００６２】
なお、本実施の形態では、駆動モータ４００への電源５０１からの電力供給の有無によって、搬送ローラ６ｃ，６ｄの駆動可能・不可能を制御手段５００が制御しているが、電磁クラッチを追加して設け、この電磁クラッチによる駆動モータ４００から搬送ローラ６ｃ，６ｄへの駆動伝達の接続・切断を制御してもよい。また、清掃モードやメンテナンスモードは操作パネル１０３から清掃者自身によって入力されているが、ネットワーク等を経由したＰＣなどの外部端末などの各種の入力手段から管理者などによって遠隔から入力されていてもよい。また、本実施の形態では、ガイドカバー３４やプラテンガイド３５と取外して初めて搬送ローラ６ｃ，６ｄの搬送面の一部が原稿読取用開口２０に対して露出し原稿押圧板１０２が開いた状態で下側からアクセス可能となるが、例えば、搬送ローラの搬送面の一部が原稿押圧板１０２の底面から常時露出し、原稿押圧板１０２を開けることのみによって、搬送ローラに下側からアクセス可能であってもよい。また、本実施の形態で示したコピー・ファクシミリ複合機１００の構成は、本発明に係る画像読取装置の一態様にすぎず、本発明の要旨を逸脱しない範囲内で適宜設計変更できることは勿論であり、例えば、コピー機やファクシミリ機、スキャナ等の単独機としても実現可能である。
【産業上の利用可能性】
【００６３】
本発明に係る原稿搬送装置は、原稿を搬送する搬送手段を備え、読取載置台の原稿読取面に対して開閉可能な原稿搬送装置に利用することができる。
【図面の簡単な説明】
【００６４】
【図１】本発明の実施の形態に係るコピー・ファクシミリ複合機１００の上部の概略構成を示す断面図である。
【図２】原稿押圧板１０２を開けた状態のコピー・ファクシミリ複合機１００の上部外観を示す斜視図である。
【図３】コピー・ファクシミリ複合機１００の上部の概略構成を示す拡大断面図である。
【図４】ペーパガイド３０及び搬送ローラ６ａ〜６ｄの構成を示す分解斜視図である。
【図５】搬送ローラ６ａ〜６ｄの駆動伝達機構を示す部分断面図である。
【図６】搬送ローラ６ａ〜６ｄの駆動伝達機構の概略構成を示す要部概念図である。
【図７】ペーパガイド３０の構成を示す底面図である。
【図８】図７のＢ−Ｂ断面の一部を示す拡大断面図である。
【図９】図７のＣ−Ｃ断面の一部を示す拡大断面図である。
【図１０】本体フレーム１０２ａとペーパガイド３０との読取位置Ｐ１付近を示す拡大断面図である。
【図１１】下側ペーパガイド３３へのプラテンガイド３５の組付けを示す分解斜視図である。
【図１２】本体フレーム１０２ａの構成を示す平面図である。
【図１３】ＡＤＦカバー１０２ｂ及び中間フレーム１０２ｃを開けた状態のコピー・ファクシミリ複合機１００の上部の概略構成を示す拡大断面図である。
【図１４】コピー・ファクシミリ複合機１００の構成を示すブロック図である。
【図１５】制御手段５００の制御動作を示すフローチャートである。
【図１６】本体フレーム１０２ａの構成を示す底面図である。
【図１７】図１６に示す本体フレーム１０２ａからプラテンガイド３５を取り外した状態を示す底面図である。
【図１８】図１７に示す本体フレーム１０２ａからガイドカバー３４を取り外した状態を示す底面図である。
【図１９】従来のコピー・ファクシミリ複合機９００の上部の概略構成を示す断面図である。
【符号の説明】
【００６５】
１  ＡＤＦ（原稿搬送装置）
２  原稿トレイ（供給部）
３  搬送路
４  排紙トレイ（排出部）
６ａ〜６ｄ  搬送ローラ（搬送手段）
９  ＣＩＳ読取ユニット
１１  プラテンガラス（原稿読取面）
１２  プラテンガラス（原稿読取面）
１３  ＣＣＤ読取ユニット（画像読取手段）
２０  原稿読取用開口
３３  下側ペーパガイド（アクセス部材）
３４  ガイドカバー（アクセス部カバー）
３５  プラテンガイド（アクセス部カバー）
１００  コピー・ファクシミリ複合機（画像読取装置）
１０１  読取載置台
１０２  原稿押圧板
１０３  操作パネル（入力手段）
１０４  第１開閉センサ（検出手段）
３３３  アクセス部
４００  駆動モータ（駆動源）
５００  制御手段
５０１  電源
【図１】
2005162431.tif 000003
【図２】
2005162431.tif 000004
【図３】
2005162431.tif 000005
【図４】
2005162431.tif 000006
【図５】
2005162431.tif 000007
【図６】
2005162431.tif 000008
【図７】
2005162431.tif 000009
【図８】
2005162431.tif 000010
【図９】
2005162431.tif 000011
【図１０】
2005162431.tif 000012
【図１１】
2005162431.tif 000013
【図１２】
2005162431.tif 000014
【図１３】
2005162431.tif 000015
【図１４】
2005162431.tif 000016
【図１５】
2005162431.tif 000017
【図１６】
2005162431.tif 000018
【図１７】
2005162431.tif 000019
【図１８】
2005162431.tif 000020
【図１９】
2005162431.tif 000021